【手続補正書】
【提出日】平成28年6月28日(2016.6.28)
【手続補正１】
【補正対象書類名】特許請求の範囲
【補正対象項目名】全文
【補正方法】変更
【補正の内容】
【特許請求の範囲】
【請求項１】
記憶されている情報の他の装置への送信または当該他の装置からの情報の受信を行う第１の機能および前記第１の機能とは異なる第２の機能を有する相手装置の、前記第２の機能の起動を制御する制御装置であって、
前記第１の機能を介して、前記相手装置から、前記記憶されている情報を取得する取得手段と、
取得した情報に基づいて、前記第２の機能を起動するかを決定する決定手段と、
前記第２の機能を起動すると決定した場合、前記第１の機能を介して、前記相手装置へ当該第２の機能を起動するコマンドを送信する送信手段と、
を有することを特徴とする制御装置。
【請求項２】
前記記憶されている情報は前記相手装置を識別する識別情報を含み、
前記決定手段は、取得した前記識別情報が記憶手段に記憶されているかに応じて、前記第２の機能を起動するかを決定する、
ことを特徴とする請求項１に記載の制御装置。
【請求項３】
取得した前記識別情報が前記記憶手段に記憶されていない場合に、前記相手装置の前記第２の機能を起動するかを前記制御装置のユーザに確認する確認手段をさらに有する、
ことを特徴とする請求項２に記載の制御装置。
【請求項４】
前記決定手段は、取得した情報と前記相手装置に実行させる処理とに基づいて、前記第２の機能を起動するかを決定する、
ことを特徴とする請求項１から３のいずれか１項に記載の制御装置。
【請求項５】
前記記憶されている情報は前記第２の機能が起動しているか否かの情報を含み、
前記決定手段は、前記第２の機能が起動していない場合に、当該第２の機能を起動するかを決定する、
ことを特徴とする請求項１から４のいずれか１項に記載の制御装置。
【請求項６】
前記記憶されている情報は前記相手装置が内部に有する電池の残量の情報を含み、
前記決定手段は、前記電池の残量に応じて、前記第２の機能を起動するかを決定する、
ことを特徴とする請求項１から５のいずれか１項に記載の制御装置。
【請求項７】
前記第２の機能は、前記第１の機能による情報の送信または受信より高速な通信が可能な通信機能を含み、
前記第２の機能が起動された後に、前記第２の機能と通信を行う通信手段をさらに有する、
ことを特徴とする請求項１から６のいずれか１項に記載の制御装置。
【請求項８】
前記第２の機能は、前記相手装置のＣＰＵの動作を伴って実現される、
ことを特徴とする請求項１から７のいずれか１項に記載の制御装置。
【請求項９】
前記送信手段が前記コマンドを送信することで、前記相手装置を電源オン状態に遷移させる、
ことを特徴とする請求項１から８のいずれか１項に記載の制御装置。
【請求項１０】
前記送信手段が前記コマンドを送信することで、前記相手装置のＣＰＵを起動させる
ことを特徴とする請求項１から９のいずれか１項に記載の制御装置。
【請求項１１】
前記第１の機能は、Ｎｅａｒ  Ｆｉｅｌｄ  Ｃｏｍｍｕｎｉｃａｔｉｏｎのリーダライタ機能である
ことを特徴とする請求項１から１０のいずれか１項に記載の制御装置。
【請求項１２】
制御装置であって、
Ｎｅａｒ  Ｆｉｅｌｄ  Ｃｏｍｍｕｎｉｃａｔｉｏｎのリーダライタとして通信する第１通信手段と、
通信相手装置と前記制御装置との距離が前記第１通信手段の通信可能な距離となった場合、前記通信相手装置のタグに記憶される情報を、前記第１通信手段を介して受信する受信手段と、
前記受信手段により受信された情報が所定の条件を満たす場合、前記通信相手装置を電源オン状態にさせるためのコマンドを、前記第１通信手段を介して送信し、前記受信手段により受信された情報が前記所定の条件を満たさない場合、前記コマンドを、前記第１通信手段を介して送信しない送信手段と、
を有することを特徴とする制御装置。
【請求項１３】
前記送信手段は、前記受信手段により受信される電池残量に関する情報が、前記通信相手装置の電池残量が所定量より少ないことを示す場合、前記コマンドを、前記第１通信手段を介して送信しない、
ことを特徴とする請求項１２に記載の制御装置。
【請求項１４】
前記送信手段は、前記受信手段により受信される電池残量に関する情報が、前記通信相手装置の電池残量が前記所定量より多いことを示す場合、前記コマンドを、前記第１通信手段を介して送信する、
ことを特徴とする請求項１３に記載の制御装置。
【請求項１５】
前記送信手段は、前記受信手段により受信される情報が、前記通信相手装置が電源ＯＮ状態であることを示す場合、前記コマンドを送信しない、
ことを特徴とする請求項１２から１４のいずれか１項に記載の制御装置。
【請求項１６】
前記第１通信手段より通信速度が速いまたは前記第１通信手段より通信範囲が広い第２通信手段を更に有し、
前記第２通信手段は、前記送信手段によって前記コマンドが送信された後に、前記受信手段により受信された無線パラメータに基づいて、前記通信相手装置と通信する、
ことを特徴とする請求項１２から１５のいずれか１項に記載の制御装置。
【請求項１７】
前記第２通信手段は、画像データを前記通信相手装置から受信する、
ことを特徴とする請求項１６に記載の制御装置。
【請求項１８】
記憶されている情報の通信の相手装置への送信または当該相手装置からの情報の受信を行う通信手段と、
前記通信手段において前記相手装置へ前記記憶されている情報を送信した後に当該相手装置から所定の信号を受信した場合、所定の機能を起動するように制御する制御手段と、
を有することを特徴とする電子機器。
【請求項１９】
前記通信手段は、前記相手装置からの信号により供給される電力で動作し、
前記所定の機能は、前記電子機器の内部の電源から供給される電力で動作する、
ことを特徴とする請求項１８に記載の電子機器。
【請求項２０】
電子機器であって、
前記電子機器が有する記憶部に他の装置からアクセスされるための、Ｎｅａｒ  Ｆｉｅｌｄ  Ｃｏｍｍｕｎｉｃａｔｉｏｎ（ＮＦＣ）規格に準拠した通信を行う第１通信手段であって、前記電子機器が少なくとも電源オフ状態の際には前記他の装置から供給される電力で動作可能な第１通信手段と、
前記電子機器が前記電源オフ状態の際に、前記第１通信手段を介して所定のコマンドを受信した場合に電源オン状態に遷移する遷移手段と、
通信相手装置に前記所定のコマンドの送信を制限させるための所定の情報を、前記電子機器の状態に応じて、前記記憶部に記憶させる制御手段と、
前記電子機器が前記電源オフ状態の際に前記通信相手装置と前記電子機器との距離が前記第１通信手段の通信可能な距離となった場合、前記記憶部に記憶された情報であって、前記制御手段により記憶された前記所定の情報を少なくとも含む情報を、前記第１通信手段を介して送信する送信手段と、
を有すること特徴とする電子機器。
【請求項２１】
前記送信手段は、受信したリードコマンドの応答として、前記記憶部に記憶される情報を送信する、
ことを特徴とする請求項２０に記載の電子機器。
【請求項２２】
前記所定の情報は、電池残量に関する情報である
ことを特徴とする請求項２０または２１に記載の電子機器。
【請求項２３】
前記制御手段は、前記電子機器の電池残量が所定量より少なくなった場合、前記所定の情報を前記記憶部に記憶させる、
ことを特徴とする請求項２０から２２のいずれか１項に記載の電子機器。
【請求項２４】
前記第１通信手段より通信速度が速いまたは前記第１通信手段より通信範囲が広い第２通信手段を更に有し、
前記第２通信手段は、前記遷移手段により電源オン状態になった場合に、前記記憶部に記憶された無線パラメータに基づいて、前記通信相手装置と通信する、
ことを特徴とする請求項２０から２３のいずれか１項に記載の電子機器。
【請求項２５】
前記第２通信手段は、画像データを前記通信相手装置に送信する、
ことを特徴とする請求項２４に記載の電子機器。
【請求項２６】
前記遷移手段は、ＣＰＵを起動することで電源オン状態に遷移する
ことを特徴とする請求項２０から２５のいずれか１項に記載の電子機器。
【請求項２７】
記憶されている情報の他の装置への送信または当該他の装置からの情報の受信を行う第１の機能および前記第１の機能とは異なる第２の機能を有する相手装置の、前記第２の機能の起動を制御する制御装置の制御方法であって、
取得手段が、前記第１の機能を介して、前記相手装置から、前記記憶されている情報を取得する取得工程と、
決定手段が、取得した情報に基づいて、前記第２の機能を起動するかを決定する決定工程と、
送信手段が、前記第２の機能を起動すると決定した場合、前記第１の機能を介して、前記相手装置へ当該第２の機能を起動するコマンドを送信する送信工程と、
を有することを特徴とする制御方法。
【請求項２８】
Ｎｅａｒ  Ｆｉｅｌｄ  Ｃｏｍｍｕｎｉｃａｔｉｏｎのリーダライタとして通信する通信手段を有する制御装置の制御方法であって、
受信手段が、通信相手装置と前記制御装置との距離が前記通信手段の通信可能な距離となった場合、前記通信相手装置のタグに記憶される情報を、前記通信手段を介して受信する受信工程と、
送信手段が、前記受信工程において受信された情報が所定の条件を満たす場合、前記通信相手装置を電源オン状態にさせるためのコマンドを、前記通信手段を介して送信し、前記受信工程において受信された情報が前記所定の条件を満たさない場合、前記コマンドを、前記通信手段を介して送信しない送信工程と、
を有することを特徴とする制御方法。
【請求項２９】
記憶されている情報の通信の相手装置への送信または当該相手装置からの情報の受信を行う通信手段を有する電子機器の制御方法であって、
制御手段が、前記通信手段において前記相手装置へ前記記憶されている情報を送信した後に当該相手装置から所定の信号を受信した場合、所定の機能を起動するように制御する制御工程を有することを特徴とする制御方法。
【請求項３０】
記憶部と、前記記憶部に他の装置からアクセスされるための、Ｎｅａｒ  Ｆｉｅｌｄ  Ｃｏｍｍｕｎｉｃａｔｉｏｎ（ＮＦＣ）規格に準拠した通信を行う通信手段とを有する電子機器の制御方法であって、
前記通信手段は、前記電子機器が少なくとも電源オフ状態の際には前記他の装置から供給される電力で動作可能であり、
前記制御方法は、
遷移手段が、前記電子機器が前記電源オフ状態の際に、前記通信手段を介して所定のコマンドを受信した場合に電源オン状態に遷移する遷移工程と、
制御手段が、通信相手装置に前記所定のコマンドの送信を制限させるための所定の情報を、前記電子機器の状態に応じて、前記記憶部に記憶させる制御工程と、
送信手段が、前記電子機器が前記電源オフ状態の際に前記通信相手装置と前記電子機器との距離が前記通信手段の通信可能な距離となった場合、前記記憶部に記憶された情報であって、前記制御工程において記憶された前記所定の情報を少なくとも含む情報を、前記通信手段を介して送信する送信工程と、
を有すること特徴とする制御方法。
【請求項３１】
記憶されている情報の他の装置への送信または当該他の装置からの情報の受信を行う第１の機能および前記第１の機能とは異なる第２の機能を有する相手装置の、前記第２の機能の起動を制御する制御装置が有するコンピュータに、
前記第１の機能を介して、前記相手装置から、前記記憶されている情報を取得する取得工程と、
取得した情報に基づいて、前記第２の機能を起動するかを決定する決定工程と、
前記第２の機能を起動すると決定した場合、前記第１の機能を介して、前記相手装置へ当該第２の機能を起動するコマンドを送信する送信工程と、
を実行させるためのプログラム。
【請求項３２】
Ｎｅａｒ  Ｆｉｅｌｄ  Ｃｏｍｍｕｎｉｃａｔｉｏｎのリーダライタとして通信する通信手段を有する制御装置に備えられたコンピュータに、
通信相手装置と前記制御装置との距離が前記通信手段の通信可能な距離となった場合、前記通信相手装置のタグに記憶される情報を、前記通信手段を介して受信する受信工程と、
前記受信工程において受信された情報が所定の条件を満たす場合、前記通信相手装置を電源オン状態にさせるためのコマンドを、前記通信手段を介して送信し、前記受信工程において受信された情報が前記所定の条件を満たさない場合、前記コマンドを、前記通信手段を介して送信しない送信工程と、
を実行させるためのプログラム。
【請求項３３】
記憶されている情報の通信の相手装置への送信または当該相手装置からの情報の受信を行う通信手段を有する電子機器が有するコンピュータに、
前記通信手段において前記相手装置へ前記記憶されている情報を送信した後に当該相手装置から所定の信号を受信した場合、所定の機能を起動するように制御する制御工程を実行させるためのプログラム。
【請求項３４】
コンピュータと、記憶部と、前記記憶部に他の装置からアクセスされるための、Ｎｅａｒ  Ｆｉｅｌｄ  Ｃｏｍｍｕｎｉｃａｔｉｏｎ（ＮＦＣ）規格に準拠した通信を行う通信手段とを有する電子機器において、前記コンピュータに前記電子機器の制御方法を実行させるためのプログラムであって、
前記通信手段は前記電子機器が少なくとも電源オフ状態の際には前記他の装置から供給される電力で動作可能であり、
前記制御方法は、
前記電子機器が前記電源オフ状態の際に、前記通信手段を介して所定のコマンドを受信した場合に電源オン状態に遷移する遷移工程と、
通信相手装置に前記所定のコマンドの送信を制限させるための所定の情報を、前記電子機器の状態に応じて、前記記憶部に記憶させる制御工程と、
前記電子機器が前記電源オフ状態の際に前記通信相手装置と前記電子機器との距離が前記通信手段の通信可能な距離となった場合、前記記憶部に記憶された情報であって、前記制御工程において記憶された前記所定の情報を少なくとも含む情報を、前記通信手段を介して送信する送信工程と、
を含むことを特徴とするプログラム。